(57)【要約】【課題】互いに電気的に接続される芯線と接続端子に生じうるガルバニック腐食を抑制できる端子付き電線を提供する。【解決手段】端子付き電線１０は、芯線１１ａが絶縁被覆１１ｂにより被覆されてなる電線１１と、絶縁被覆１１ｂから露出する芯線１１ａの端部にかしめ固定された第１バレル部１５ａを有する接続端子１２と、芯線１１ａの端部と第１バレル部１５ａとの間に介在された導電性樹脂部材１３とを備える。【選択図】図１
2018081759.tif 000002
【特許請求の範囲】
【請求項１】
芯線が絶縁被覆により被覆されてなる電線と、
前記絶縁被覆から露出する前記芯線の端部にかしめ固定された固定部を有する接続端子と、
前記芯線の端部と前記固定部との間に介在された導電性樹脂部材と
を備えたことを特徴とする端子付き電線。
【請求項２】
請求項１に記載の端子付き電線において、
前記導電性樹脂部材は、前記芯線の端部の外周を覆う筒状をなすことを特徴とする端子付き電線。
【請求項３】
請求項２に記載の端子付き電線において、
前記導電性樹脂部材は、熱収縮チューブからなることを特徴とする端子付き電線。
【請求項４】
請求項３に記載の端子付き電線において、
前記導電性樹脂部材は、前記芯線の端部と前記絶縁被覆とに跨って設けられていることを特徴とする端子付き電線。
【発明の詳細な説明】
【技術分野】
【０００１】
本発明は、端子付き電線に関するものである。
【背景技術】
【０００２】
従来、例えば特許文献１に開示されるように、絶縁被覆から露出する芯線の端部に接続端子がかしめ固定（圧着）されて該芯線と接続端子との電気的導通が図られた端子付き電線がある（特許文献１参照）。
【先行技術文献】
【特許文献】
【０００３】
【特許文献１】特開２０１３−１２２８８１号公報
【発明の概要】
【発明が解決しようとする課題】
【０００４】
上記のような端子付き電線において、芯線と接続端子が異種金属で構成された場合には、芯線と接続端子との接触部分（かしめ部分）におけるガルバニック腐食の発生が問題となる。
【０００５】
本発明は、上記課題を解決するためになされたものであって、その目的は、互いに電気的に接続される芯線と接続端子に生じうるガルバニック腐食を抑制できる端子付き電線を提供することにある。
【課題を解決するための手段】
【０００６】
上記課題を解決する端子付き電線は、芯線が絶縁被覆により被覆されてなる電線と、前記絶縁被覆から露出する前記芯線の端部にかしめ固定された固定部を有する接続端子と、前記芯線の端部と前記固定部との間に介在された導電性樹脂部材とを備える。
【０００７】
この構成によれば、芯線と接続端子の固定部との間に導電性樹脂部材が介在されるため、芯線と接続端子の固定部との電気的導通性を確保しつつも、それらに生じうるガルバニック腐食を抑制できる。
【０００８】
上記端子付き電線において、前記導電性樹脂部材は、前記芯線の端部の外周を覆う筒状をなす。
この構成によれば、芯線と接続端子の固定部との間の全周に亘って導電性樹脂部材が介在される構成となるため、芯線と接続端子の固定部に生じうるガルバニック腐食をより効果的に抑制できる。
【０００９】
上記端子付き電線において、前記導電性樹脂部材は、熱収縮チューブからなる。
この構成によれば、導電性樹脂部材が熱収縮チューブからなるため、導電性樹脂部材を容易に装着可能となる。
【００１０】
上記端子付き電線において、前記導電性樹脂部材は、前記芯線の端部と前記絶縁被覆とに跨って設けられている。
この構成によれば、熱収縮チューブからなる導電性樹脂部材が、前記芯線の端部と前記絶縁被覆とに跨って設けられる。これにより、芯線が突出する絶縁被覆の端部に導電性樹脂部材（熱収縮チューブ）を密着させることができ、その結果、絶縁被覆の端部の開口に対するシール性の向上に寄与できる。
【発明の効果】
【００１１】
本発明の端子付き電線によれば、互いに電気的に接続される芯線と接続端子に生じうるガルバニック腐食を抑制できる。
【図面の簡単な説明】
【００１２】
【図１】実施形態の端子付き電線を示す模式図。
【図２】（ａ）（ｂ）（ｃ）同形態の端子付き電線の製造過程を示す模式図。
【発明を実施するための形態】
【００１３】
以下、端子付き電線の一実施形態について説明する。
図１に示す端子付き電線１０は、例えば、車載機器の電気的接続を図るための車載用ワイヤハーネスにおける信号線として用いられる電線である。端子付き電線１０は、電線１１と接続端子１２とを備え、電線１１の端部に接続端子１２が固定されてなる。
【００１４】
電線１１は、芯線１１ａが絶縁被覆１１ｂにて被覆されて構成されている。電線１１の端部は、絶縁被覆１１ｂから芯線１１ａが露出する処理がなされている。芯線１１ａは、例えば複数の素線を撚り合せてなる。また、芯線１１ａの素線を構成する金属としては、例えばアルミニウム系金属材料が挙げられる。
【００１５】
芯線１１ａ端部の露出部位と絶縁被覆１１ｂの一端部の外周面は、筒状の導電性樹脂部材１３によって被覆されている。導電性樹脂部材１３は、金属粉やカーボンブラック等の導電性粉体を含む樹脂材である。また、本実施形態の導電性樹脂部材１３は、熱収縮チューブからなる。
【００１６】
接続端子１２は、芯線１１ａとは異種の金属（例えば銅や黄銅等）からなり、金属板材からプレス加工によって形成される。接続端子１２は、図示しない相手側端子と接続される端子接続部１４と、芯線１１ａが露出する電線１１の端部と接続された電線接続部１５とを一体に有している。
【００１７】
電線接続部１５はオープンバレル構造をなしている。具体的には、電線接続部１５は、第１バレル部（ワイヤーバレル部）１５ａと第２バレル部（インシュレーションバレル部）１５ｂとが、電線１１の軸方向（長手方向）に連設されて構成されている。第１バレル部１５ａは、芯線１１ａの端部を導電性樹脂部材１３の上から包囲する態様でかしめ固定（圧着）されている。つまり、第１バレル部１５ａと芯線１１ａとは、導電性樹脂部材１３を介して電気的に接続されている。また、第２バレル部１５ｂは、絶縁被覆１１ｂの一端部を導電性樹脂部材１３の上から包囲する態様でかしめ固定（圧着）されている。これにより、導電性樹脂部材１３が、絶縁被覆１１ｂの外周面に対して水密に密着されるようになっている。
【００１８】
次に、上記の端子付き電線１０の製造態様について説明する。
まず、図２（ａ）に示すように、収縮前の状態の導電性樹脂部材１３の内側に、芯線１１ａの端部の露出部位と絶縁被覆１１ｂの一端部とを配置する。この状態で、導電性樹脂部材１３を加熱して縮径させる。すると、図２（ｂ）に示すように、導電性樹脂部材１３が、芯線１１ａの端部の露出部位と絶縁被覆１１ｂの一端部に密着する。
【００１９】
次に、図２（ｃ）に示すように、導電性樹脂部材１３が装着された電線１１を、電線接続部１５上に配置する。そして、電線接続部１５の第１バレル部１５ａを、導電性樹脂部材１３にて被覆された芯線１１ａの端部の露出部位を包囲するようにかしめる。また、第２バレル部１５ｂを、導電性樹脂部材１３にて被覆された絶縁被覆１１ｂの一端部を包囲するようにかしめる。これにより、図１に示すように、電線１１の端部に接続端子１２が固定される。
【００２０】
次に、本実施形態の効果を記載する。
（１）芯線１１ａの端部と該端部にかしめ固定される第１バレル部１５ａとの間に、導電性樹脂部材１３が介在される。このため、互いに異種の金属よりなる芯線１１ａと第１バレル部１５ａとの電気的導通性を確保しつつも、芯線１１ａと第１バレル部１５ａとが直接的に接触しないように構成でき、その結果、それらに生じうるガルバニック腐食を抑制できる。
【００２１】
なお、本実施形態の端子付き電線１０は、ワイヤハーネスにおける信号線に用いられるため、導電性樹脂部材１３を介在することによる芯線１１ａと第１バレル部１５ａとの間の抵抗の増加の影響は少ない。
【００２２】
（２）導電性樹脂部材１３は、芯線１１ａの端部の外周を覆う筒状をなす。これにより、芯線１１ａと第１バレル部１５ａとの間の全周に亘って導電性樹脂部材１３が介在される構成となるため、芯線１１ａと第１バレル部１５ａに生じうるガルバニック腐食をより効果的に抑制できる。
【００２３】
（３）導電性樹脂部材１３が熱収縮チューブからなるため、導電性樹脂部材１３を芯線１１ａの端部に対して容易に装着可能となる。
（４）熱収縮チューブからなる導電性樹脂部材１３が、芯線１１ａの端部と絶縁被覆１１ｂとに跨って設けられる。これにより、芯線１１ａが突出する絶縁被覆１１ｂの端部に導電性樹脂部材１３（熱収縮チューブ）を密着させることができ、その結果、絶縁被覆１１ｂの端部の開口に対するシール性の向上に寄与できる。
【００２４】
なお、上記実施形態は、以下のように変更してもよい。
・上記実施形態では、導電性樹脂部材１３を熱収縮チューブで構成したが、これに限らず、シート状の導電性樹脂部材を巻装した構成としてもよい。
【００２５】
・上記実施形態において、導電性樹脂部材１３の開口を、例えば樹脂材等によってシールすることで、導電性樹脂部材１３の内部への水の浸入をより確実に防止するように構成してもよい。
【００２６】
・上記実施形態では、導電性樹脂部材１３が、芯線１１ａの端部と絶縁被覆１１ｂとに跨って設けられたが、これに限らず、絶縁被覆１１ｂから露出する芯線１１ａの端部のみに導電性樹脂部材を設けてもよい。
【００２７】
・上記実施形態の芯線１１ａは、複数の素線を撚り合せて構成されたが、これに限らず、例えば単芯線で構成してもよい。
・芯線１１ａ及び接続端子１２を構成する金属材料は、上記実施形態に限定されるものではなく、構成に応じて適宜変更してもよい。
【００２８】
・上記した実施形態並びに各変形例は適宜組み合わせてもよい。
【符号の説明】
【００２９】
１０…端子付き電線
１１…電線
１１ａ…芯線
１１ｂ…絶縁被覆
１２…接続端子
１３…導電性樹脂部材
１５ａ…第１バレル部（固定部）
【図１】
2018081759.tif 000003
【図２】
2018081759.tif 000004